(57)【要約】【課題】溶湯が暴れることを抑制すること。【解決手段】誘導加熱溶解装置１は、側壁２１と底壁２２とによって内部空間２３が形成されているルツボ１１と、内部空間２３に入れられた被溶解材料１０１を誘導加熱により溶解させる溶解コイル１２と、底壁２２に設けられた、溶解している被溶解材料１０１を出湯させるためのノズル２６と、内部空間２３の底部に形成されるスカル１０３を誘導加熱により溶解させる出湯コイル１３と、を備える。底壁２２は、ルツボ１１の外側と内部空間２３との間で磁束が通過可能に構成されている。また、誘導加熱溶解装置１は、上下方向に直交する断面が内部空間２３又は底壁２２を全周に亘って囲む形状を有する導電性の磁気遮蔽リング３０、をさらに備える。磁気遮蔽リング３０は、上下方向において、底壁２２と溶解コイル１２との間の位置又は底壁２２と同じ位置に配置されている。【選択図】図１
2019186132.tif 000002
【特許請求の範囲】
【請求項１】
側壁と底壁とによって内部空間が形成されているルツボと、
前記側壁の周りを囲むように配置された、前記内部空間に入れられた被溶解材料を誘導加熱により溶解させる溶解コイルと、
前記底壁に設けられた、溶解している前記被溶解材料を出湯させるための出湯部と、
前記出湯部の周りを囲むように配置された、前記内部空間の底部に形成されるスカルを誘導加熱により溶解させる出湯コイルと、を備える誘導加熱溶解装置であって、
前記底壁は、前記ルツボの外側と前記内部空間との間で磁束が通過可能に構成され、
上下方向に直交する断面が前記内部空間又は前記底壁を全周に亘って囲む形状を有する導電性の磁気遮蔽部、をさらに備え、
前記磁気遮蔽部は、上下方向において、前記底壁と前記溶解コイルとの間の位置又は前記底壁と同じ位置に配置されていることを特徴とする誘導加熱溶解装置。
【請求項２】
上下方向及び前記磁気遮蔽部の周方向の両方と直交する径方向において、前記磁気遮蔽部の内端が、前記溶解コイルの外端よりも内側に配置されていることを特徴とする請求項１に記載の誘導加熱溶解装置。
【請求項３】
上下方向及び前記磁気遮蔽部の周方向の両方と直交する径方向において、前記磁気遮蔽部の内端が、前記側壁よりも外側に配置されていることを特徴とする請求項１又は２に記載の誘導加熱溶解装置。
【請求項４】
前記磁気遮蔽部は、前記ルツボとは独立した部材で形成されていることを特徴とする請求項１〜３のいずれかに記載の誘導加熱溶解装置。
【請求項５】
前記磁気遮蔽部を冷却する冷却部が設けられていることを特徴とする請求項１〜４のいずれかに記載の誘導加熱溶解装置。
【発明の詳細な説明】
【技術分野】
【０００１】
本発明は、ルツボ内の被溶解材料を誘導加熱によって溶解させる誘導加熱溶解装置に関する。
【背景技術】
【０００２】
特許文献１には、金属材料（被溶解材料）を溶解させて出湯させる水冷式の誘導加熱溶解炉（いわゆるコールドクルーシブル炉）が開示されている。誘導加熱溶解炉は、筒状の側面壁と平板状の底面壁とを有する水冷式のルツボと、側面壁の周囲に配置された誘導加熱コイル（溶解コイル）と、底面壁に設けられた出湯ノズル部と、出湯ノズル部の周囲に配置された出湯用誘導加熱コイル（出湯コイル）と、を備える。詳細には、側面壁及び底面壁は、ルツボの周方向において絶縁部材を挟んで複数のセグメントに分割されており、複数のセグメント間に形成されたスリットを交流磁束が通過可能となっている。このような誘導加熱溶解炉において、まず、溶解コイルによる誘導加熱でルツボ内の被溶解材料が溶かされ、溶湯となる。溶湯の一部は、底面壁に冷却されてスカル（凝固層）を形成し、出湯ノズル部を塞ぐ。さらに、出湯コイルによる誘導加熱でスカルが溶かされることで、出湯ノズル部が開放され、出湯が行われる。
【０００３】
溶解コイルによる誘導加熱に関して、より詳細には、溶解コイルで生成される磁束が被溶解材料の表面を通ることで被溶解材料の表面に誘導電流が流れ、ジュール熱によって被溶解材料が溶解する。ここで、磁束の上下方向成分及び誘導電流に起因して、ルツボの径方向内側に向かうローレンツ力が溶湯に作用する。また、溶湯には重力も作用している。つまり、ルツボ内の溶湯には、ローレンツ力及び重力が常に作用している。
【先行技術文献】
【特許文献】
【０００４】
【特許文献１】特開２０１７−１９４２３４号公報
【発明の概要】
【発明が解決しようとする課題】
【０００５】
ルツボ内に溶湯が十分入っているときには、上述したローレンツ力と重力とが安定して釣り合っている状態が保たれ、溶湯が山なりの形状を有している。一方、ルツボ内の溶湯の量が少なくなると、溶湯に作用する重力に対してローレンツ力が相対的に大きくなり、溶湯がルツボの径方向中心部に寄り集まりやすくなる。これにより、例えば、溶湯がルツボの径方向中心部において細長く盛り上がったり、そのように盛り上がった溶湯の一部が重力によってルツボの底に落ちたりする等、溶湯の形状や動きが不安定化しやすくなる（以下、「暴れる」と称する）。より具体的な例として、底面壁間のスリットを磁束が通ることにより、スリット付近の溶湯がルツボの径方向内側に向かい、溶湯の滴が激しく飛散する。さらに、この際、溶湯に流れる誘導電流に起因して、放電が生じることもある。このような現象は、以下のことが原因であると考えられる。すなわち、ルツボがセグメント化されていることで、出湯コイルによって生成される磁束が底面壁を通過可能となっている一方で、溶解コイルによって生成される磁束も底面壁を通過可能であることが、溶湯が暴れる要因となっている。溶湯の量が少なくなると溶湯が暴れるという現象自体は従来から知られており、特に大きな問題とはなっていなかったが、近年、以下のような問題が顕在化してきている。
【０００６】
誘導加熱溶解炉から出湯された溶湯は、例えば、高圧ガスが噴きつけられることで微小な粉末材料になる（アトマイズされる）。このようにして製造される粉末材料の径は、一般的に、出湯量に応じて変わる。このため、粉末材料のさらなる微細化のために出湯ノズル部の開口の小径化が進められており、開口径が大きい場合と比べて、溶湯が暴れると出湯量が不安定になりやすい等の問題が生じている。
【０００７】
本発明の目的は、溶湯が暴れることを抑制することである。
【課題を解決するための手段】
【０００８】
第１の発明の誘導加熱溶解装置は、側壁と底壁とによって内部空間が形成されているルツボと、前記側壁の周りを囲むように配置された、前記内部空間に入れられた被溶解材料を誘導加熱により溶解させる溶解コイルと、前記底壁に設けられた、溶解している前記被溶解材料を出湯させるための出湯部と、前記出湯部の周りを囲むように配置された、前記内部空間の底部に形成されるスカルを誘導加熱により溶解させる出湯コイルと、を備える誘導加熱溶解装置であって、前記底壁は、前記ルツボの外側と前記内部空間との間で磁束が通過可能に構成され、上下方向に直交する断面が前記内部空間又は前記底壁を全周に亘って囲む形状を有する導電性の磁気遮蔽部、をさらに備え、前記磁気遮蔽部は、上下方向において、前記底壁と前記溶解コイルとの間の位置又は前記底壁と同じ位置に配置されていることを特徴とするものである。
【０００９】
ルツボの底壁は、出湯コイルによって生成される磁束がルツボ内のスカルを通れるように、磁束が通過可能に構成されている。これにより、スカルが誘導加熱によって溶かされることで、出湯部からの出湯が可能となる。一方、溶解コイルによって生成される磁束も底壁を通過可能である。当該磁束が底壁を通過して被溶解材料の表面を流れると、溶解した被溶解材料（溶湯）の表面に渦電流が発生する。このため、磁束及び渦電流に起因するローレンツ力が溶湯に作用し、溶湯が暴れる原因となりうる。
【００１０】
本発明では、溶解コイルによって生成される磁束が磁気遮蔽部の内側の空間を通過しようとすると、電磁誘導によって磁気遮蔽部に誘導電流が流れる。当該誘導電流に起因して発生する磁束と、溶解コイルによって生成される磁束とが互いに打ち消し合う。このため、溶解コイルによって生成される磁束が、磁気遮蔽部の内側の空間や、磁気遮蔽部の下方（或いは、上下方向において磁気遮蔽部と同じ位置）に配置された底壁を通過することが抑制される。これにより、底壁の近傍（内部空間の底部）にある溶湯を磁束が通過することを抑制でき、溶湯に渦電流が流れることも抑制できる。つまり、内部空間の底部の溶湯に対して、磁束及び渦電流に起因するローレンツ力が作用することを抑制できる。したがって、溶湯が暴れることを抑制することができる。
【００１１】
第２の発明の誘導加熱溶解装置は、前記第１の発明において、上下方向及び前記磁気遮蔽部の周方向の両方と直交する径方向において、前記磁気遮蔽部の内端が、前記溶解コイルの外端よりも内側に配置されていることを特徴とするものである。
【００１２】
磁気遮蔽部が溶解コイルよりも径方向外側に配置されている（つまり、磁気遮蔽部の内径が大きい）と、磁束が通る空間を磁気遮蔽部によって遮蔽しきれず、磁気遮蔽効果が有効に発揮されないおそれがある。本発明では、磁気遮蔽部の内径が小さいので、磁束が通る空間を効果的に遮蔽できる。したがって、溶解コイルによって生成される磁束をより確実に打ち消すことができる。
【００１３】
第３の発明の誘導加熱溶解装置は、前記第１又は第２の発明において、上下方向及び前記磁気遮蔽部の周方向の両方と直交する径方向において、前記磁気遮蔽部の内端が、前記側壁よりも外側に配置されていることを特徴とするものである。
【００１４】
磁気遮蔽部が径方向においてあまりにも内側に配置されていると、溶解コイルによって生成される磁束が磁気遮蔽部によって遮断されて内部空間を通りにくくなり、被溶解材料が溶解されにくくなるおそれがある。本発明では、磁気遮蔽部が側壁よりも径方向外側に配置されているので、被溶解材料が溶解されにくくなることを抑制できる。
【００１５】
第４の発明の誘導加熱溶解装置は、前記第１〜第３のいずれかの発明において、前記磁気遮蔽部は、前記ルツボとは独立した部材で形成されていることを特徴とするものである。
【００１６】
例えば、ルツボの一部を用いて磁気遮蔽部を形成することも可能だが、ルツボの設計が複雑化する等のおそれがある。本発明では、磁気遮蔽部がルツボとは独立した部材で形成されている（ルツボとは別の部材である）ため、ルツボの設計の複雑化等を避けることができる。また、磁気遮蔽部を例えばリング状に形成することで、磁気遮蔽部の構造や形状を単純にすることができ、コストの増大も抑制できる。
【００１７】
第５の発明の誘導加熱溶解装置は、前記第１〜第４のいずれかの発明において、前記磁気遮蔽部を冷却する冷却部が設けられていることを特徴とするものである。
【００１８】
本発明では、磁気遮蔽部に渦電流が流れることによる磁気遮蔽部の過熱を抑制することができる。
【図面の簡単な説明】
【００１９】
【図１】本実施形態に係る誘導加熱溶解装置の概略図である。
【図２】図１のII-II断面図である。
【図３】実施例及び比較例における、磁束の通り方のシミュレーション図である。
【図４】変形例１及び変形例２に係る誘導加熱溶解装置の概略図である。
【図５】変形例３及び変形例４に係る誘導加熱溶解装置の概略図である。
【図６】変形例１及び変形例２における、磁束の通り方のシミュレーション図である。
【図７】変形例３及び変形例４における、磁束の通り方のシミュレーション図である。
【発明を実施するための形態】
【００２０】
次に、本発明の実施の形態について、図１〜図３を参照しながら説明する。なお、図１の紙面上下方向を上下方向とする。上下方向から見たときに、ルツボ１１（後述）を囲む方向を周方向とする。上下方向及び周方向の両方と直交する方向を径方向とする。
【００２１】
（誘導加熱溶解装置）
まず、誘導加熱溶解装置１の構成について、図１及び図２を用いて説明する。図１は、本実施形態に係る誘導加熱溶解装置１の概略図である。図２は、図１のＩＩ−ＩＩ断面図である。誘導加熱溶解装置１は、例えば水冷式のコールドクルーシブル炉であり、チタン合金等の被溶解材料１０１を誘導加熱によって溶解させて出湯させるためのものである。図１に示すように、誘導加熱溶解装置１は、ルツボ１１と、溶解コイル１２と、出湯コイル１３と、を備える。
【００２２】
ルツボ１１は、被溶解材料１０１が入れられる容器であり、例えば銅等で形成されている。ルツボ１１は、円筒状の側壁２１と、概ね円板状の底壁２２とを有する。側壁２１と底壁２２とによって、被溶解材料１０１が入れられる内部空間２３が形成されている。側壁２１及び底壁２２は、例えば不図示の架台にそれぞれ設置されることで、互いに分離可能に設けられている。
【００２３】
側壁２１及び底壁２２は、周方向において複数のセグメント２４に分割（セグメント化）されている。複数のセグメント２４間には、スリット２４ａがそれぞれ形成されている。各セグメント２４は中空形状を有しており（不図示）、内部を水等の冷媒が通れるようになっている。スリット２４ａには、薄板状の絶縁部材２５が埋め込まれている。絶縁部材２５は、後述するように、磁束を通過させるためのものである。本実施形態では、ルツボ１１は８つのセグメント２４に分割されている（図２参照）が、セグメント２４の数はこれに限定されるものではない。
【００２４】
図１及び図２に示すように、側壁２１は、例えば円筒形状を有する壁である。側壁２１は、上下方向に延びている。側壁２１の周囲（径方向外側）には、溶解コイル１２が配置されている（図１参照）。側壁２１は中空形状を有しており（図示省略）、例えば冷却水源１０４（図２参照）から供給される水によって内側から冷却される。側壁２１の形状は一例であり、これに限定されるものではない。
【００２５】
図１及び図２に示すように、底壁２２は、側壁２１の下方に配置された概ね円板状の壁である。底壁２２には、ルツボ１１の底から被溶解材料１０１を出湯させるためのノズル２６（本発明の出湯部）が設けられている。ノズル２６は、底壁２２から下方に延びている。ノズル２６の下部には、被溶解材料が出湯するための開口２７が形成されている。底壁２２の径方向外側部分には、図示しない支持部によって下方から支持される被支持部２８が形成されている。底壁２２も中空形状を有しており（図示省略）、例えば冷却水源１０４（図２参照）から供給される水によって内側から冷却される。底壁２２の形状は一例であり、これに限定されるものではない。
【００２６】
溶解コイル１２は、ルツボ１１の内部空間２３内の被溶解材料１０１を誘導加熱により溶解させるためのものである。溶解コイル１２は、側壁２１の周りを囲むように螺旋状に配置されている。溶解コイル１２は、底壁２２よりも上方に配置されている（図１参照）。溶解コイル１２も、ルツボ１１と同様に、水冷可能に構成されている（図示省略）。溶解コイル１２には、高周波電圧を出力可能な溶解用電源１０５が電気的に接続されている。溶解用電源１０５は、制御装置１５と電気的に接続されており、制御装置１５によって制御される。或いは、溶解用電源１０５は、作業者（不図示）により操作されても良い。溶解用電源１０５から溶解コイル１２に高周波電圧が印加されると、溶解コイル１２に高周波電流が流れて交流磁束が生成される。交流磁束は、複数のセグメント２４間に配置された絶縁部材２５を通過可能であり、それによって内部空間２３を通過可能となっている。内部空間２３を通る交流磁束は、被溶解材料１０１の表面を流れる。これにより、電磁誘導によって被溶解材料１０１の表面に誘導起電力が生じて渦電流が流れる。渦電流が流れることで、ジュール熱により被溶解材料１０１が溶解する。このように、被溶解材料１０１が誘導加熱により溶解させられる。被溶解材料１０１の大部分は、誘導加熱により溶解して溶湯１０２となる。被溶解材料１０１の下端部は、水冷されている底壁２２に接触することで冷却され、スカル（凝固層）１０３となる。スカル１０３は、内部空間２３の底部に形成され、ノズル２６の開口２７を塞ぐ。
【００２７】
出湯コイル１３は、スカル１０３を誘導加熱により溶解させるためのものである。出湯コイル１３は、ノズル２６の周りを囲むように配置されている（図１参照）。出湯コイル１３も、溶解コイル１２等と同様に、水冷可能に構成されている（図示省略）。出湯コイル１３には、高周波電圧を出力可能な出湯用電源１０６が電気的に接続されている。出湯用電源１０６は、制御装置１５と電気的に接続されており、制御装置１５によって制御される。或いは、出湯用電源１０６は、作業者（不図示）により操作されても良い。出湯用電源１０６から出湯コイル１３に高周波電圧が印加されると、ルツボ１１の底部に交流磁束が生成される。この交流磁束は、底壁２２を構成する絶縁部材２５を通過可能である。つまり、出湯コイル１３で生成される交流磁束は、ルツボ１１の外側と内部空間２３との間で、底壁２２を通過可能となっている。
【００２８】
以上のような構成を有する誘導加熱溶解装置１において、まず、溶解コイル１２による誘導加熱で被溶解材料１０１が溶解して溶湯１０２となる。そして、出湯コイル１３による誘導加熱でスカル１０３が溶解してノズル２６が開放され、溶湯１０２がノズル２６の開口２７から出湯される。出湯された溶湯１０２は、例えば、不図示のアトマイズ装置によって高圧ガスが噴きつけられることで、微小な粉末材料になる（アトマイズされる）。
【００２９】
ここで、溶湯１０２には、溶解コイル１２によって生成される磁束と、溶湯１０２に流れる渦電流とに起因するローレンツ力が作用する。ローレンツ力は、磁束の上下方向の成分と渦電流とに起因して、溶湯１０２が径方向内側に向かうように溶湯１０２に作用する。また、溶湯１０２には重力も作用している。内部空間２３内に溶湯１０２が十分に入っている状態では、ローレンツ力と重力とが安定して釣り合っている状態が保たれ、溶湯１０２が山なりの形状を有している（図１の実線参照）。一方、ルツボ１１内の溶湯１０２の量が少なくなると、溶湯１０２に作用する重力に対してローレンツ力が相対的に大きくなり、溶湯１０２がルツボ１１の径方向中心部に寄り集まりやすくなる。これにより、例えば、溶湯１０２がルツボ１１の径方向中心部において細長く盛り上がったり（図１の二点鎖線参照）、そのように盛り上がった溶湯１０２の一部が重力によってルツボ１１の底に落ちたりする等、溶湯１０２の形状や動きが不安定化しやすくなる。この現象は、溶湯１０２が「暴れる」と称される現象であり、以下のことが原因であると考えられる。すなわち、ルツボ１１がセグメント化されていることで、出湯コイル１３によって生成される磁束が底壁２２を通過可能となっている一方で、溶解コイル１２によって生成される磁束も底壁２２を通過可能であることが、溶湯１０２が暴れる要因となっている。
【００３０】
近年、ルツボ１１内の溶湯１０２が暴れることによる以下のような問題が顕在化してきている。例えば、上述した不図示のアトマイズ装置によって製造される粉末材料の径は、一般的に、出湯量に応じて変わる。このため、粉末材料のさらなる微細化のためにノズル２６の開口２７の小径化が進められており、開口径が大きい場合と比べて、溶湯１０２が暴れると出湯量が不安定になりやすい等の問題が生じている。そこで、本実施形態の誘導加熱溶解装置１は、以下に述べるような磁気遮蔽リング３０（本発明の磁気遮蔽部）を備える。
【００３１】
（磁気遮蔽リング）
磁気遮蔽リング３０の構成について、図１及び図２を用いて説明する。磁気遮蔽リング３０は、内部空間２３を周方向において全周に亘って囲むリング状の部材である（図２参照）。磁気遮蔽リング３０は、例えば銅等の導電性の材料で形成されている。磁気遮蔽リング３０は、ルツボ１１とは独立した部材で形成されている。磁気遮蔽リング３０は、上下方向において、底壁２２と溶解コイル１２との間に配置されている（図１参照）。ここで、「底壁２２と溶解コイル１２との間に配置されている」とは、磁気遮蔽リング３０の上端３３が、溶解コイル１２の下端１６よりも下方且つ底壁２２の上端面２９よりも上方に配置されていることを意味する。磁気遮蔽リング３０は、径方向において、溶解コイル１２と同じ位置に配置されている。言い換えると、磁気遮蔽リング３０の径方向における内端３１は、溶解コイル１２の径方向における外端１４よりも径方向内側、且つ、側壁２１よりも径方向外側に配置されている。磁気遮蔽リング３０は中空形状を有しており、内部に水等の冷媒を流すための流路３２（本発明の冷却部）が設けられている。流路３２には、冷却水源１０４（図２参照）から水が供給される。これにより、磁気遮蔽リング３０が冷却される。
【００３２】
（磁束の通り方のシミュレーション結果）
次に、磁気遮蔽リング３０を備える誘導加熱溶解装置１における磁束の遮蔽効果について、図３を用いて説明する。図３（ａ）は、磁気遮蔽リング３０が設けられている場合（実施例）における、ルツボ１１及びその周辺の磁束の通り方に関するシミュレーション結果を示す図である。図３（ｂ）は、磁気遮蔽リング３０が配置されていない場合（比較例）における、同様のシミュレーション結果を示す図である。
【００３３】
本願発明者は、磁気遮蔽リング３０による磁束の遮蔽効果を確認するために、溶解コイル１２によって生成される磁束がルツボ１１を（具体的には、内部空間２３及び絶縁部材２５（図１、図２参照）を）どのように通るかについてシミュレーションを行った。なお、ルツボ１１内の被溶解材料１０１については考慮しないものとしてシミュレーションを行った。また、ルツボ１１の右側半分（図１に示すルツボ１１の紙面右側半分）についてシミュレーションを行った。つまり、ルツボ１１の左側半分においては、中心線Ｃ（図３（ａ）、（ｂ）参照）を挟んで、図３（ａ）、（ｂ）に示す磁束と左右対称の磁束が流れる。
【００３４】
磁気遮蔽リング３０を設けた場合、図３（ａ）に示すように、溶解コイル１２によって生成される磁束は、底壁２２をほとんど通らないというシミュレーション結果が得られた。言い換えると、溶湯１０２のうち、底壁２２のすぐ上方にある部分においては、磁束の通過が抑制されることが分かった。一方、磁気遮蔽リング３０を設けない場合、図３（ｂ）に示すように、溶解コイル１２によって生成される磁束は、底壁２２を通りやすいというシミュレーション結果が得られた。言い換えると、溶湯１０２のうち、底壁２２のすぐ上方にある部分において、磁束が通過しやすいことが分かった。
【００３５】
磁気遮蔽リング３０によって磁束が遮蔽される原理は、以下のように説明可能である。すなわち、溶解コイル１２によって生成される磁束が磁気遮蔽リング３０の内側の空間を通過しようとすると、電磁誘導によって磁気遮蔽リング３０に誘導電流が流れる。当該誘導電流に起因して発生する磁束と、溶解コイル１２によって生成される磁束とが互いに打ち消し合う。このため、溶解コイル１２によって生成される磁束が、磁気遮蔽リング３０の内側の空間や、磁気遮蔽リング３０の下方に配置された底壁２２を通過することが抑制される。
【００３６】
これにより、溶湯１０２のうち、底壁２２のすぐ上方の部分に渦電流が流れることが抑制され、ローレンツ力の作用も抑制される。このため、溶湯１０２が少なくなってきたときに、溶湯１０２が暴れることが抑制される。
【００３７】
以上のように、磁気遮蔽リング３０によって、溶解コイル１２によって生成される磁束が、磁気遮蔽リング３０の内側の空間や、磁気遮蔽リング３０の下方に配置された底壁２２を通過することが抑制される。これにより、底壁２２の近傍（内部空間２３の底部）にある溶湯１０２を磁束が通過することを抑制でき、溶湯１０２に渦電流が流れることも抑制できる。つまり、内部空間２３の底部の溶湯１０２に対して、磁束及び渦電流に起因するローレンツ力が作用することを抑制できる。したがって、溶湯１０２が暴れることを抑制することができる。
【００３８】
また、磁気遮蔽リング３０の径方向における内端３１が、溶解コイル１２の外端１４よりも径方向内側に配置されている。つまり、磁気遮蔽リング３０の内径が小さいので、磁束が通る空間を効果的に遮蔽できる。したがって、溶解コイル１２によって生成される磁束をより確実に打ち消すことができる。
【００３９】
また、磁気遮蔽リング３０の内端３１が、側壁２１よりも径方向外側に配置されているので、被溶解材料が溶解されにくくなることを抑制できる。
【００４０】
また、磁気遮蔽リング３０がルツボ１１とは独立した部材で形成されている（ルツボ１１とは別の部材である）ため、ルツボ１１の設計の複雑化等を避けることができる。また、磁気遮蔽リング３０の構造や形状を単純にすることができ、コストの増大も抑制できる。
【００４１】
また、冷媒が流れる流路３２が磁気遮蔽リング３０に設けられているので、磁気遮蔽リングに渦電流が流れることによる磁気遮蔽リング３０の過熱を抑制することができる。
【００４２】
次に、前記実施形態に変更を加えた変形例について説明する。但し、前記実施形態と同様の構成を有するものについては、同じ符号を付して適宜その説明を省略する。
【００４３】
（１）前記実施形態において、ルツボ１１とは独立した部材である磁気遮蔽リング３０が設けられているものとしたが、これには限られない。すなわち、図４及び図５に示すように、ルツボ１１の一部を利用して磁気遮蔽部が形成されていても良い。例えば、誘導加熱溶解装置１ａ（変形例１。図４（ａ）参照）のように、被支持部２８（図１参照）を周方向に短絡させることで磁気遮蔽部４０ａが形成されていても良い。この場合、上下方向において、ルツボ１１ａの底壁２２ａと同じ位置に磁気遮蔽部４０ａが配置されている。つまり、磁気遮蔽部４０ａが、底壁２２ａを囲んでいても良い。ここで、「底壁２２ａと同じ位置に配置されている」とは、上下方向において、磁気遮蔽部４０ａの上端４２ａが底壁２２ａの上端面２９ａと同じ位置に配置されていることを意味する（他の変形例においても同様とする）。また、磁気遮蔽部４０ａの内端４１ａが、溶解コイル１２の外端１４と面一（或いは、溶解コイル１２の外端１４よりも径方向外側）に配置されていても良い。
【００４４】
或いは、誘導加熱溶解装置１ｂ（変形例２。図４（ｂ）参照）のように、磁気遮蔽部４０ｂが、ルツボ１１ｂの底壁２２ｂを囲んでおり、磁気遮蔽部４０ｂの内端４１ｂが、溶解コイル１２の内端と面一に配置されていても良い。誘導加熱溶解装置１ｃ（変形例３。図５（ａ）参照）のように、磁気遮蔽部４０ｃが、ルツボ１１ｃの底壁２２ｃを囲んでおり、磁気遮蔽部４０ｃの内端４１ｃが、側壁２１の外端よりも径方向内側に配置されていても良い。誘導加熱溶解装置１ｃ（変形例４。図５（ｂ）参照）のように、磁気遮蔽部４０ｄが、ルツボ１１ｄの底壁２２ｄを囲んでおり、磁気遮蔽部４０ｄの内端４１ｄが、側壁２１の内端よりも径方向内側に配置されていても良い。
【００４５】
前述の実施例及び比較例について行ったシミュレーションと同様のシミュレーションを、変形例１〜４について行った。その結果を図６、図７に示す。変形例１（図６（ａ）参照）においては、底壁２２ａを通る磁束は、実施例（図３（ａ）参照）と比べると多く、比較例（図３（ｂ）参照）と比べると少ないという結果が得られた。変形例２〜４においては、底壁２２ｂ、２２ｃ、２２ｄを通る磁束は、それぞれ実施例とほぼ同等というシミュレーション結果が得られた。したがって、磁気遮蔽部の内端は、変形例２〜４のように、溶解コイル１２の外端１４よりも径方向内側に配置されていることが好ましい。
【００４６】
或いは、側壁２１の上下方向における一部を周方向に短絡させることで、磁気遮蔽部を形成しても良い（図示省略）。なお、この場合は、溶解コイル１２によって生成される磁束が磁気遮蔽部によって遮断されて内部空間２３を通りにくくなり、被溶解材料１０１が溶解されにくくなるというトレードオフが生じうるので、トレードオフを抑制するための工夫が求められる。
【００４７】
（２）前記までの実施形態において、磁気遮蔽リング３０には冷却水が流れる流路３２が設けられているものとしたが、これには限られない。例えば、磁気遮蔽リング３０を径方向外側から冷却する冷却部（不図示）が設けられていても良い。あるいは、冷却部は、必ずしも設けられていなくても良い。
【００４８】
（３）前記までの実施形態において、底壁２２等は、セグメント化されていることで磁束を通過させるものとしたが、これには限られない。例えば、底壁が絶縁体で形成されていても良い。
【００４９】
（４）本発明は、コールドクルーシブル炉に限定されず、誘導加熱式の様々な溶解装置に適用可能である。
【符号の説明】
【００５０】
１        誘導加熱溶解装置
１１      ルツボ
１２      溶解コイル
１３      出湯コイル
１４      外端
２１      側壁
２２      底壁
２３      内部空間
２６      ノズル（出湯部）
３０      磁気遮蔽リング（磁気遮蔽部）
３１      内端
３２      流路（冷却部）
１０１    被溶解材料
１０３    スカル
【図１】
2019186132.tif 000003
【図２】
2019186132.tif 000004
【図３】
2019186132.tif 000005
【図４】
2019186132.tif 000006
【図５】
2019186132.tif 000007
【図６】
2019186132.tif 000008
【図７】
2019186132.tif 000009